(57)【特許請求の範囲】
【請求項１】
周側面の１つの壁に商品の丈よりも短かくて上記商品の出し入れ用の開口を有するケース本体と、このケース本体の頂壁に上面を開放させて設けたガイドと、このガイドの底壁から突出する係止爪と、このガイドの底壁に前記ケース本体の開口側の辺縁に設けた貫通する長孔と、この長孔にストッパ片を貫通させて上記ガイド内に昇降自在に嵌入した昇降体と、このストッパ片の両側縁突出方向端に設けた抜止め用の突部と、上記昇降体内に上記長孔に沿ってスライドするように組み込んだスライダと、このスライダに設けた鉄片と、このスライダに一方向の押圧力を付与するバネと、上記スライダに上記昇降体の押し込みにともない前記係止爪に当接してスライダを押し逃がし、かつ上記昇降体の押し込み終了にともない上記押し逃がしが解放されて上記係止爪に係合するように設けた係止部とで構成される盗難防止ケースと、上記盗難防止ケースに当接させた時、上記鉄片を磁力により引き寄せて、スライダの係止部とガイドの係止爪の係合を解除可能とした永久磁石を有する解除具とからなる盗難防止装置において、前記スライダとバネとはそれぞれ左右一対とし、かつ、バネは両スライダを接近方向への押圧力を付与しており、前記解除具には、盗難防止ケースの昇降体付近に当接させた際、両スライダの鉄片外側に位置して両スライダを離反方向に引き寄せるように永久磁石が２つ設けてあることを特徴とする盗難防止装置。
【請求項２】
上記請求項１に記載の盗難防止装置に用いる解除具であって、基材と、この基材に一端側に位置決め壁を有し、かつ複数の並列する盗難防止ケースを上方から嵌入するように設けた凹入部と、この凹入部の底の両端側で盗難防止ケースの両スライダの鉄片外側に位置して上記両鉄片を磁吸により引き寄せるように設けた永久磁石とからなる解除具。
【発明の詳細な説明】
【技術分野】
【０００１】
この発明は、ＣＤカセットの音楽や映像を記録してあるディスクやビデオテープ、ゲームソフト、その他の商品（収納ケースに商品を収納した状態のもの）の盗難を防止するケースに関する。
【背景技術】
【０００２】
レンタルショップ陳列棚に上述のような商品を収納ケースを並べておくと、顧客による収納ケースの開放が可能なため、レンタルショップ側の盗難防止ケースに収納ケースを嵌め込んで陳列することで、顧客による収納ケースの開放ができなくなって、商品が盗難に遭うのを防止する。
【０００３】
レンタルに際しては、レンタルショップのカウンタに盗難防止ケースを持参することで、ショップ側の解除具により施錠が解除されて、盗難防止ケースから収納ケースを取り出すことができ、取り出した収納ケースを貸し出す（特許文献１）。
【０００４】
なお、販売に際しても同様の方式が採用される。
【特許文献１】特許第２９２８４９０号公報
【発明の開示】
【発明が解決しようとする課題】
【０００５】
ところで、特許文献１の構造によると、解除具のキーを貫通孔に挿入して押し込むと、キーの先端がスライダのテーパー面部に当り、キーの押し込み続行により弾片による押し戻し力に抗してスライダを押し逃がして貫通孔の縁から掛止爪が外れて、この外れにともなう係合関係の解除により昇降体と共に突出部材の降下ができてケース本体内の商品の押し上げがなくなって、ケース本体内からの商品の取り出しが可能になる。
【０００６】
しかしながら、各貫通孔にそれぞれのキーの先端を合致させたのち、この合致を維持しながら各貫通孔にそれぞれのキーを一度に押し込んで各貫通孔の縁と掛止爪との係合関係を解除するため、貫通孔に対するキーの合致に手数がかかると共に、各キーの均一な同時押し込みができないと、先行するキーと、若干遅れるキーとで各キーのスムーズな押し込みができない問題があった。
【０００７】
特に、係合関係の解除をケース本体毎行なうので、一度に複数のケース本体の掛合関係を解除することができない。
【０００８】
そこで、この発明は、上述の問題を解消した盗難防止ケースを提供することにある。
【課題を解決するための手段】
【０００９】  上記の課題を解決するために、請求項１の発明は、周側面の１つの壁に商品の丈よりも短かくて上記商品の出し入れ用の開口を有するケース本体と、このケース本体の頂壁に上面を開放させて設けたガイドと、このガイドの底壁から突出する係止爪と、このガイドの底壁に前記ケース本体の開口側の辺縁に設けた貫通する長孔と、この長孔にストッパ片を貫通させて上記ガイド内に昇降自在に嵌入した昇降体と、このストッパ片の両側縁突出方向端に設けた抜止め用の突部と、上記昇降体内に上記長孔に沿ってスライドするように組み込んだスライダと、このスライダに設けた鉄片と、このスライダに一方向の押圧力を付与するバネと、上記スライダに上記昇降体の押し込みにともない前記係止爪に当接してスライダを押し逃がし、かつ上記昇降体の押し込み終了にともない上記押し逃がしが解放されて上記係止爪に係合するように設けた係止部とで構成される盗難防止ケースと、上記盗難防止ケースに当接させた時、上記鉄片を磁力により引き寄せて、スライダの係止部とガイドの係止爪の係合を解除可能とした永久磁石を有する解除具とからなる盗難防止装置において、前記スライダとバネとはそれぞれ左右一対とし、かつ、バネは両スライダを接近方向への押圧力を付与しており、前記解除具には、盗難防止ケースの昇降体付近に当接させた際、両スライダの鉄片外側に位置して両スライダを離反方向に引き寄せるように永久磁石が２つ設けてある構成を採用する。【００１０】  また、請求項２の発明は、上記請求項１に記載の盗難防止装置に用いる解除具であって、基材と、この基材に一端側に位置決め壁を有し、かつ複数の並列する盗難防止ケースを上方から嵌入するように設けた凹入部と、この凹入部の底の両端側で盗難防止ケースの両スライダの鉄片外側に位置して上記両鉄片を磁吸により引き寄せるように設けた永久磁石とからなる解除具を使用する。【００１１】
すると、係合関係の解除を極めてスムーズに行なうことができ、一度に複数のケース本体の係合関係の解除もできる。
【発明の効果】
【００１２】
以上のように、この発明の盗難防止ケースによれば、ガイドの底に昇降体を押し込むことで、係止爪に係止部が当接して押圧力に抗して両スライダを押し逃がし、係止部が係止爪を通過し終ると押し逃がしの解除された両スライダを押し戻しながら、係止爪と係止部とが係合関係になって、昇降体と一体のストッパ片により開口の一部を閉鎖する。
【００１３】
このため、ケース本体内の商品の抜き取りを阻止して盗難防止に効果を発揮する。
【００１４】
また、解除具の凹入部に昇降体を先行させてケース本体を嵌め込むと共に、位置決め壁により嵌め込んだケース本体の正確な位置決めを行なうことで、両スライダの鉄片が凹入部の底の両端の並列永久磁石により磁吸しながら両スライダを強制的に離反方向に強制にスライドさせながら、係止爪と係止部との係合関係を解除し、この状況下で凹入部から上方にケース本体を引き抜くことで、脱出方向に昇降体を永久磁石と鉄片との磁吸により強制的にスライドさせる。
【００１５】
このため、ストッパ片による開口の一部の閉鎖がなくなって、ケース本体から商品の取り出しが（ショップ側による）可能になる。
【００１６】
さらに、凹入部に複数のケース本体を嵌め込むことができるので、一度に複数のケース本体の係合関係の解除が可能になる。
【発明を実施するための最良の形態】
【００１７】
以下、この発明の実施の形態を添付図面に基づいて説明する。
【００１８】
この発明の第１の実施形態では、図１から図５に示すように、ケース本体Ａの周側面の一つの壁１には、商品Ｂの丈よりも短かくて商品Ｂを出し入れする開口２が設けてある。
【００１９】
上記開口２の丈を商品Ｂの丈よりも短かくする要因は、開口２の下縁からケース本体Ａ内に商品Ｂの下縁側を先行させて嵌入したのち、商品Ｂの上縁を開口２の上縁の下を通過させて嵌め込む。
【００２０】
その際、開口２の下縁（壁１の内側）の内側に商品Ｂの下縁部が納まって、開口２に対する商品Ｂのすべり出しを阻止することにある。
【００２１】
又ケース本体Ａの頂壁３に上面を開放させた筒状のガイド４を設けると共に、ガイド４の底壁５の開口２に合致する線上に上下面が貫通する長孔６を設けておく。
【００２２】
更に、ガイド４に昇降体７を昇降自在に嵌入すると共に、この昇降体７に長孔６に貫通するストッパ片８を設け、ストッパ片８の両側縁の突出方向端には、ストッパ片８の下縁（突出方向縁）と開口２の上縁とが合致するように昇降体７を脱出方向にスライドさせたとき、底壁５の下面に当接してストッパ片８が上方に抜けるのを防止する突部９が設けてある。
【００２３】
又昇降体７内の両端側に長孔６に沿ってスライドするスライダ１０を組み込むと共に、このスライダ１０に接近方向に強制スライドさせる押圧力の付与バネ１１が組み込んである。
【００２４】
上記のスライダ１０は、図示の場合、昇降体７内に長孔６に平行する上面開放のガイド溝１２を設けて、このガイド溝１２にスライド自在に嵌め込んでガイドし、バネ１１は、図示の場合、スライダ１０の対向内端壁１３と昇降体７から突出する受座片１４とにバネ１１の両端を支持させてある。
【００２５】
更にガイド４内の底壁５から上方に向けて両スライダ１０、１０の対向端間に納まる銛状の係止爪１５を設け、両スライダ１０、１０の対向端には、昇降体７の押し込みにともない係止爪１５の山形テーパー面部に当接してスライダ１０を押し逃がし、昇降体７の押し込み終了にともない山形テーパー面部から外れて係止爪１５に係合関係になる係止部１６が設けてある。
【００２６】
又両スライダ１０、１０には、解除具Ｃの永久磁石３４によって両スライダ１０、１０をバネ１１による押圧力に抗して離反方向に強制スライドさせるための磁吸用鉄片２１が設けてある。
【００２７】
なお、係止爪１５は、図示の場合両スライダ１０、１０の両端側にも（底壁５から突出させて）設けて、この係止爪１５に両スライダ１０、１０の相反する端縁に係止部１６を設けたが、限定されず、昇降体７の中間部のみ或いは中間部と両端の両方に設けるなど選択すればよい。
【００２８】
上記の解除具Ｃは、図６、７に示すように、基材３１と、この基材３１に一端側に位置決め壁３２を有し、かつ複数の並列する盗難防止ケース本体Ａを上方から嵌入するように設けた凹入部３３と、この凹入部３３の底面下側で、両鉄片２１の端の外側に位置して鉄片２１を磁吸する永久磁石３４とで構成されている。
【００２９】
なお、商品Ｂとしては、例えば収納ケースにディスクを収納したものである。
【００３０】
上記のように構成すると、開口２からケース本体Ａ内に商品Ｂを嵌め込んだのち、昇降体７を押し下げる。
【００３１】
押し下げにともない係止爪１５に係止部１６が当接すると、係止爪１５と係止部１６とのテーパー面部により両スライダ１０を離反方向に押し逃がし、係止部１６が係止爪１５を通過し終ると、バネ１１によって両スライダ１０を接近方向にスライドさせて、図４に示すように係止爪１５と係止部１６とが係合関係になって昇降体７の押し状態の維持をはかる。
【００３２】
このとき、昇降体７と共にストッパ片８を共に押し下げて、ストッパ片８により開口２の一部（図示上縁側）を閉鎖するので、ケース本体Ａからの商品Ｂの抜き取りが阻止され、盗難防止になる。
【００３３】
なお、ショップからのケース本体Ａの持ち出しは、周知のように、ケース本体Ａに設けた盗難防止タグ（図示省略）により検出する。
【００３４】
次にショップ側で商品Ｂを取り出す（販売やレンタルのため）場合、解除具Ｃの凹入部３３に単数並列する複数のケース本体Ａを図７に示すように昇降体７を下側にして上方から嵌入する。
【００３５】
このとき、位置決め壁３２にケース本体Ａの壁を当接する。
【００３６】
すると、両側の永久磁石３４、３４によって鉄片２１を磁吸して、相反する方向にスライダ１０、１０をスライドさせて、図６に示すように、係止爪１５と係止部１６との係合関係を解除する。
【００３７】
この状況下にケース本体Ａを上方に抜き去ると、永久磁石３４によって鉄片２１を磁吸しているので、ケース本体Ａを抜き去る際、凹入部３３の底に図８に示すように昇降体７がとどまって、ガイド４内から昇降体７が脱出方向にスライドして、ストッパ片８により開口２の一部閉鎖をなくすると共に、図９に示すように突部９が長孔６の端に引っかかって、解除具Ｃからケース本体Ａを抜き去ることができる。
【００３８】
このため、ショップ側でケース本体Ａから商品Ｂを取り出すことができる。
【００３９】
図中６１は、ガイド手段である。
【図面の簡単な説明】
【００４０】
【図１】この発明の第１の実施形態を示す分解斜視図
【図２】同ケース本体の縦断側面図
【図３】同上の縦断正面図
【図４】同上の要部を示す縦断側面図
【図５】同上の要部の分解斜視図
【図６】第２の実施形態の解除具の使用を示す縦断側面図
【図７】同縦断正面図
【図８】解除の作用を示す縦断側面図
【図９】ストッパ片の脱出を示す縦断側面図
【符号の説明】
【００４１】
Ａ      ケース本体
Ｂ      商品
Ｃ      解除具
１      壁
２      開口
３      頂壁
４      ガイド
５      底壁
６      長孔
７      昇降体
８      ストッパ片
９      突部
１０    スライダ
１１    バネ
１２    ガイド溝
１３    内端壁
１４    受座片
１５    係止爪
１６    係止部
２１    鉄片
３１    基材
３２    位置決め壁
３３    凹入部
３４    永久磁石
【図１】
0004478956.tif 000002
【図２】
0004478956.tif 000003
【図３】
0004478956.tif 000004
【図４】
0004478956.tif 000005
【図５】
0004478956.tif 000006
【図６】
0004478956.tif 000007
【図７】
0004478956.tif 000008
【図８】
0004478956.tif 000009
【図９】
0004478956.tif 000010